(57)【要約】【課題】低消費電力での待機および動作の予約を可能とするリモートコントロール装置，機器，および無線制御システムを提供する。【解決手段】リモートコントロール装置が，機器が起動するまでの時間を表す起動時間または前記機器が起動する時刻を表す起動時刻および前記機器の動作内容を入力する入力部と，前記起動時間の経過または前記起動時刻に対応して，起動信号を送信し，かつ前記動作内容を送信する送信部と，を具備する。【選択図】図１
2010045509.tif 000002
【特許請求の範囲】
【請求項１】
機器が起動するまでの時間を表す起動時間または前記機器が起動する時刻を表す起動時刻および前記機器の動作内容を入力する入力部と，
前記起動時間の経過または前記起動時刻に対応して，起動信号を送信し，かつ前記動作内容を送信する送信部と，
を具備することを特徴とするリモートコントロール装置。
【請求項２】
前記起動時間の経過までの残り時間を計時する計時部，をさらに具備し，
前記計時部で計時される残り時間が無くなったときに，前記送信部が起動信号を送信する
ことを特徴とする請求項１記載のリモートコントロール装置。
【請求項３】
前記送信部が，前記入力される起動時刻を送信し，
前記起動時刻の送信に対応して返信され，起動するまでの時間を表す起動時間を受信する受信部と，をさらに具備し，
前記計時部が，前記受信される起動時間までの残り時間を計時する，
ことを特徴とする請求項２記載のリモートコントロール装置。
【請求項４】
時刻を計時する計時部と，
前記起動時刻を記憶する記憶部と，
前記計時部が計時する時刻と前記記憶部が記憶する起動時刻が一致したときに，前記送信部が起動信号を送信する
ことを特徴とする請求項１記載のリモートコントロール装置。
【請求項５】
前記送信部が，入力される起動時刻を送信し，
前記起動時刻の送信に対応して返信される現在時刻を受信する受信部と，
前記受信される現在時刻に基づいて，前記計時部によって計時される時刻を修正する修正部と，をさらに具備する，
ことを特徴とする請求項４記載の無線リモートコントロール装置。
【請求項６】
主装置と，
前記主装置に外部電源からの電力を供給するトランスと，
起動信号を受信して整流する整流器と，
前記整流器が整流した起動信号が起動信号であるか否かを判断する判断部と，
前記判断部の判断結果に基づいて，前記外部電源から前記主装置への電力の供給を制御する供給制御部と，
動作内容を受信する受信部と，
前記受信部で受信される動作内容に基づいて，前記主装置を制御する動作制御部と，
を具備することを特徴とする機器。
【請求項７】
前記受信部が，起動時刻を受信し，
時刻を計時する計時部と，
前記起動時刻の受信に対応して，前記計時部が計時する現在時刻を送信する送信部と，
をさらに具備することを特徴とする請求項６記載の機器。
【請求項８】
前記受信部が，起動時刻を受信し，
時刻を計時する計時部と，
前記計時部が計時する時刻と，前記受信する起動時刻に基づいて，起動時間を算出する算出部と，
前記算出部によって算出される起動時間を送信する送信部と，をさらに具備する，
ことを特徴とする請求項６記載の機器。
【請求項９】
前記受信部が，起動する時刻を表す起動時刻または起動するまでの時間を表す起動時間を受信し，
前記供給制御部が，前記起動時刻または前記起動時間，および前記判断部の判断結果に基づいて，前記外部電源から前記トランスへの電力の供給を制御する，
ことを特徴とする請求項６記載の機器。
【請求項１０】
前記外部電源から充電する充電部と，
前記充電部の充電の周期を制御する充電制御部と，
をさらに具備することを特徴とする請求項６乃至９のいずれか１項に記載の機器。
【請求項１１】
前記受信部が，動作内容を受信し，
前記受信部が受信する動作内容に基づいて，前記主装置を制御する第２の動作制御部と，
前記第２の動作制御部から前記主装置への制御信号の供給を制御する第２の供給制御部と，
をさらに具備することを特徴とする請求項６乃至１０のいずれか１項に記載の機器。
【請求項１２】
請求項１乃至５のいずれか１項に記載のリモートコントロール装置と，
請求項６乃至１１のいずれか１項に記載の機器と，
を具備することを特徴とする無線制御システム。
【発明の詳細な説明】
【技術分野】
【０００１】
本発明は，リモートコントロール装置，機器，および無線制御システムに関する。
【背景技術】
【０００２】
電波，赤外線等により電気機器を制御する無線制御システムが用いられている。ここで，電気機器側の受信部に整流器を用い，整流器が発生する電力により，電気機器へ電力を供給するためのスイッチを制御する技術が開示されている（特許文献１参照）。スイッチを制御することで，外部電源から電気機器の内部への電流のオン，オフを可能にしている。また，整流器等のパッシブ素子をリモコン受信部に用いることにより，電気機器がリモコン信号を待ち受けている際の待機電力を低く抑えることが可能となる。
【特許文献１】特開２００６−３１９８６３号公報
【発明の開示】
【発明が解決しようとする課題】
【０００３】
特許文献１記載の技術では，予約機能への対応が困難である。電気機器として，たとえば，ハードディスクレコーダやエアコンを考えた場合，ユーザがリモコンを操作して所定の番組の録画予約をしたり，所定の時刻にエアコンの運転を開始させたりするなどの予約機能が必要となる。しかしながら，特許文献１記載の技術を電気機器に適用した場合，ユーザがこれらの予約をした後に，リモコンにより電気機器をオフしてしまうと，番組の録画や，エアコンの運転の開始などが実行されなくなる。
一方，電気機器に以上のような予約が入っている場合に，電気機器をオフしないでおくことにより，予約を実行することが可能となる。しかしながら，予約を実行するまでに大きな待機電力が必要となる。
上記に鑑み，本発明は，低消費電力での待機および動作の予約を可能とするリモートコントロール装置，機器，および無線制御システムを提供することを目的とする。
【課題を解決するための手段】
【０００４】
本発明の一態様に係るリモートコントロール装置は，機器が起動するまでの時間を表す起動時間または前記機器が起動する時刻を表す起動時刻および前記機器の動作内容を入力する入力部と，前記起動時間の経過または前記起動時刻に対応して，起動信号を送信し，かつ前記動作内容を送信する送信部と，を具備することを特徴とする。
【０００５】
本発明の一態様に係る機器は，主装置と，前記主装置に外部電源からの電力を供給するトランスと，起動信号を受信して整流する整流器と，前記整流器が整流した起動信号が起動信号であるか否かを判断する判断部と，前記判断部の判断結果に基づいて，前記外部電源から前記主装置への電力の供給を制御する供給制御部と，動作内容を受信する受信部と，前記受信部で受信される動作内容に基づいて，前記主装置を制御する動作制御部と，を具備することを特徴とする。
【発明の効果】
【０００６】
本発明によれば，低消費電力での待機および動作の予約を可能とするリモートコントロール装置，機器，および無線制御システムを提供できる。
【発明を実施するための最良の形態】
【０００７】
以下，図面を参照して，本発明の実施の形態を詳細に説明する。
（第１の実施の形態）
図１は，本発明の第１の実施の形態に係る無線制御システム１０を表すブロック図である。無線制御システム１０は，無線リモコン１１０と，電気機器１３０とを有する。無線リモコン１１０から電気機器１３０に対しては，無線による制御が可能であり，ユーザは無線リモコン１１０を操作することによって，電気機器１３０の電源オン，オフ等の制御を行うことが可能である。電気機器１３０は，例えば，エアコン，録画機（ＤＶＤレコーダ，ＨＤＤ（ハードディスクドライブ）内蔵テレビ）である。
【０００８】
無線リモコン１１０は，入力部１１１，制御部１１２，計時部１１３，送信部１１４，アンテナ１１５，電池１１６を有する。
入力部１１１は，ユーザによる所望の操作情報の入力を可能とする。所望の操作情報として，電気機器１３０が起動するまでの時間を表す起動時間や電気機器１３０の動作内容を挙げることができる。
計時部１１３は，無線リモコン１１０から電気機器１３０に制御パケット（起動信号（ＯＮ信号））を送信するまでの時間を計測する。即ち，計時部１１３は，起動時間の経過までの残り時間を計時する。
制御部１１２は，電気機器１３０に対して送信する制御パケット（起動信号（ＯＮ信号），停止信号（ＯＦＦ信号），動作制御信号）を生成する。
【０００９】
送信部１１４は，制御部１１２が生成した制御パケットを電気機器１３０に送信する。送信部１１４は，次を実行する。
・起動信号の送信
・動作内容の送信
【００１０】
アンテナ１１５は，制御パケットを電波として送信する。
電池１１６は，入力部１１１，制御部１１２，計時部１１３，送信部１１４に電力を供給する。
【００１１】
電気機器１３０は，アンテナ１３１，整流器１３２，信号判別部１３３，制御部１３４，予約記憶部１３５，電池１３６，電源プラグ１４１，スイッチ１４２，トランス１４３，主装置１４４を有する。
【００１２】
アンテナ１３１は，無線リモコン１１０からの制御パケットを受信する。アンテナ１３１は，次を実行する。
・起動信号の受信
・動作内容の受信
【００１３】
整流器１３２は，受信した制御パケットを整流する。なお，この詳細は後述する。
信号判別部１３３は，整流器１３２の出力に基いて受信した制御パケットが所定の制御パケット（起動信号（ＯＮ信号），停止信号（ＯＦＦ信号），動作制御信号）と一致するか否か判別する。信号判別部１３３は，整流器１３２で整流された信号が起動信号であるか否かを判断する判断部として機能する。
【００１４】
制御部１３４は，信号判別部１３３の判別結果，予約記憶部１３５の記憶内容に基づき，スイッチ１４２，主装置１４４を制御する。制御部１３４は，次の要素として機能する。
・外部電源から主装置１４４への電力の供給を制御する供給制御部
・受信される動作内容に基づいて，主装置１４４を制御する動作制御部
【００１５】
予約記憶部１３５は，主装置１４４の動作時（オン時）にすべき動作を記憶する。
電池１３６は，整流器１３２，信号判別部１３３，制御部１３４，予約記憶部１３５へ電力を供給する。なお，電池１３６は乾電池，ボタン電池等の一次電池，充電池やスーパーキャパシタ等の二次電池のいずれでも良い。電池１３６が二次電池の場合，外部電源から充電する充電部として機能する。
【００１６】
電源プラグ１４１は，電源コンセント等の外部電源に接続されて，トランス１４３に電力を供給する。
スイッチ１４２は，電源プラグ１４１から供給される電力をトランス１４３，ひいては主装置１４４に伝えるか否かを切り替える。
トランス１４３は，電源プラグ１４１から供給される電力の電圧を主装置１４４に適合するように制御する。
主装置１４４は，ユーザに主要機能（例えば，エアコンでの冷房機能，録画機（ＤＶＤレコーダ，ＨＤＤ内蔵テレビ）での録画機能）を提供するための装置である。
【００１７】
（整流器１３２の詳細）
整流器１３２は，アンテナ１３１が受信した信号を効率的に整流し，低消費電力での動作が可能である。
【００１８】
図２に，図１中に示した整流器１３２の一構成例を示す。この整流器１３２は，直列接続されたｎＭＯＳ型のトランジスタＭＲ１，ＭＲ２を有する。トランジスタＭＲ１，ＭＲ２それぞれのゲートソース間が短絡接続されている（すなわちトランジスタＭＲ１，ＭＲ２は一種のダイオード接続）。トランジスタＭＲ１，ＭＲ２を接続する配線にコンデンサＣ１が接続され，アンテナ１３１からＲＦ信号が入力される。また，トランジスタＭＲ１のドレインとトランジスタＭＲ２のソースの間に，平滑コンデンサＣ２が接続され，出力電圧（整流電圧）を発生させる。
【００１９】
ＲＦ信号が入力されることで，トランジスタＭＲ１，コンデンサＣ２，トランジスタＭＲ２の経路に，半波の電流が流れる。この結果，コンデンサＣ２の両端に直流の出力電圧（整流電圧）が発生する。図２に示す整流器１３２の下側端子ＤＣ−はグランドに接続される。図２に示す整流器１３２の上側端子ＤＣ＋は整流器１３２の出力端子として，信号判別部１３３に接続される。
【００２０】
（無線制御システム１０の動作）
図３は，無線制御システム１０の動作の一例を表すシーケンス図である。ここでは，電気機器１３０としてエアコンを想定するが，エアコン以外でも同様の動作を行っても良い。
【００２１】
（１）予約設定の入力
入力部１１１から操作情報が入力される。ここでは，ユーザが無線リモコン１１０を操作して，オン予約をする場面を想定する。この場合，ユーザは入力部１１１に，どの程度の時間が経過したら電気機器１３０を動作させるか（起動時間：電気機器１３０が起動するまでの時間）を入力する。この際，設定温度や風量，風向を設定しても良い。設定温度，風量，風向等を含む，設定信号は電気機器１３０に送信され，予約記憶部１３５に記憶される。
【００２２】
ユーザがこれらの設定を行った後，入力部１１１の電源ボタンを押すなどして，無線リモコン１１０から電気機器１３０の電源をオフする旨の制御パケット（停止信号（ＯＦＦ信号））が送信される。
【００２３】
この信号は整流器１３２，信号判別部１３３を経由して，制御部１３４にＯＦＦ信号として入力される。制御部１３４がＯＦＦ信号の入力を認識すると，スイッチ１４２をオフする。
【００２４】
（２）計時・ＯＮ信号の送信
ユーザがこれらの設定を行った後，無線リモコン１１０内の計時部１１３は電源オンまでの時間のカウントを開始する。その後，計時部１１３での計時が満了し，制御部１１２がこれを認識すると，送信部１１４を介して電気機器に対して，電源オンのための制御パケットを送信する。予約記憶部１３５が動作内容を記憶することから，無線リモコン１１０内の計時部１１３での計時が満了した場合には，無線リモコン１１０はＯＮ信号のみを送信する。このため，電気機器１３０をＯＮする信頼性が向上する。
【００２５】
（３）電気機器１３０の起動
電気機器１３０は，ＯＮ信号により起動し，その後，予約記憶部１３５に記憶される動作を実行する。
【００２６】
以上説明したように，本実施形態に係る無線制御システム１０により，ユーザが電気機器１３０に所定時刻に電源オンなど，何らかの動作を予約していた場合でも，電気機器１３０をオフにすることが可能となる。
【００２７】
また，予約された動作を開始する時刻を無線リモコン１１０側で管理するため，無線リモコン１１０と電気機器１３０とを合わせた無線制御システム１０全体での待機時消費電力を低く抑えることが可能となる。電気機器１３０内で予約された動作を開始する時刻を管理する場合には，トランス１４３を介して電力を供給しなければならず，待機時のトランス１４３でのロスが大きい。
【００２８】
また，ユーザが電気機器１３０に所定時刻に何らかの動作開始を予約していた場合，電気機器１３０が所定時刻にどのような動作を開始すべきか，電気機器１３０内で記憶しておき，ユーザの所望の時刻に所望の動作を開始することが可能となる。
【００２９】
（第１の実施形態の変形例１）
ここで，図１では電気機器１３０が予約記憶部１３５を含んでおり，ＯＮした後の動作内容が記憶されているが，電気機器１３０が予約記憶部１３５を含んでいない場合も考えられる。図４は，電気機器１３０が予約記憶部１３５を含んでいない場合での無線制御システム１０の動作の一例を表すシーケンス図である。ここでは，無線リモコン１１０から，ＯＮ信号に引き続き，動作内容を表す信号が送信される。その他の点では，第１の実施形態での動作と実質的な相違は無いので，詳細な説明を省略する。
【００３０】
（第１の実施形態の変形例２）
図５は，変形例に係る無線リモコン１１０ａを表すブロック図である。
無線リモコン１１０ａは，無線リモコン１１０と同様，電気機器１３０の制御が可能である。無線リモコン１１０ａは，入力部１１１，制御部１１２ａ，計時部１１３ａ，送信部１１４，アンテナ１１５，電池１１６，時刻記憶部１１７を有する。
【００３１】
入力部１１１ａは，ユーザによる所望の操作情報の入力を可能とする。所望の操作情報として，電気機器１３０が起動する時刻を表す起動時刻や電気機器１３０の動作内容を挙げることができる。
【００３２】
制御部１１２ａは，計時部１１３ａの時刻が時刻記憶部１１７の時刻と等しくなった場合に，電気機器１３０に対して送信する制御パケット（起動信号）を生成する。
【００３３】
計時部１１３ａは，タイマーとして動作し，時刻を計時する。
時刻記憶部１１７は，電気機器１３０に対して制御パケットを送信する時刻を記憶する。
電池１１６は，入力部１１１，制御部１１２ａ，計時部１１３ａ，送信部１１４，時刻記憶部１１７に電力を供給する。
時刻記憶部１１７は，入力部１１１ａで入力された起動時刻を記憶する。
無線リモコン１１０ａのその他の構成要素は，無線リモコン１１０と同様なので，詳細な説明を省略する。
【００３４】
無線リモコン１１０ａを用いた場合，入力部１１１から入力された起動時刻が時刻記憶部１１７に記憶される。そして，計時部１１３ａの時刻が時刻記憶部１１７の時刻と等しくなった場合に，制御部１１２ａが起動信号を生成し，送信部１１４から送信される。その他の点では，第１の実施形態での動作と実質的な相違は無いので，詳細な説明を省略する。図３，図４いずれのシーケンスも無線リモコン１１０ａを用いて実行できる。
【００３５】
（第２の実施の形態）
図６は，本発明の第２の実施の形態に係る無線制御システム２０を表すブロック図である。無線制御システム２０は，無線リモコン２１０と，電気機器２３０とを有する。無線リモコン２１０から電気機器２３０に対しては，無線による制御が可能であり，ユーザは無線リモコン２１０を操作することによって，電気機器２３０の電源オン，オフ等の制御を行うことが可能である。電気機器２３０は，例えば，エアコン，録画機（ＤＶＤレコーダ，ＨＤＤ（ハードディスクドライブ）内蔵テレビ）である。
【００３６】
無線リモコン２１０は，入力部１１１，制御部２１２，計時部１１３，送受信部２１４，アンテナ１１５，電池１１６を有する。
計時部１１３は，無線リモコン１１０から電気機器１３０に制御パケット（起動信号（ＯＮ信号））を送信するまでの時間を計測する。即ち，計時部１１３は，起動時間の経過までの残り時間を計時する。
制御部２１２は，電気機器１３０に対して送信する制御パケット（起動信号（ＯＮ信号），停止信号（ＯＦＦ信号），動作制御信号）を生成する。
【００３７】
送受信部２１４は，制御部１１２が生成した制御パケットを電気機器１３０に送信する。また，送受信部２１４は，電気機器２３０から送信されるパケットを受信する。送受信部２１４は，次を実行する。
・起動信号の送信
・動作内容の送信
・入力される起動時刻の送信
・起動時刻の送信に対応して返信される起動時間の受信
【００３８】
電気機器２３０は，アンテナ１３１，整流器１３２，信号判別部１３３，制御部２３４，予約記憶部１３５，電池１３６，送信部２３７，電源プラグ１４１，スイッチ１４２，トランス１４３，主装置１４４を有する。また，電気機器２３０は図示しない計時部を有するとする。
【００３９】
アンテナ１３１は，無線リモコン２１０からの制御パケットを受信する。アンテナ１３１は，次を実行する。
・起動信号の受信
・動作内容の受信
・起動時刻の受信
【００４０】
制御部２３４は，信号判別部１３３の判別結果，予約記憶部１３５の記憶内容に基づき，スイッチ１４２，主装置１４４を制御する。制御部２３４は，次の要素として機能する。
・外部電源から主装置１４４への電力の供給を制御する供給制御部
・受信される動作内容に基づいて，主装置１４４を制御する動作制御部
・計時部が計時する時刻と，受信する起動時刻に基づいて，起動時間を算出する算出部
【００４１】
送信部２３７は，信号を送信する。送信部２３７は，計時部が計時する現在時刻を送信する送信部として機能する。
【００４２】
無線制御システム２０のその他の構成要素は，無線制御システム１０と同様なので，詳細な説明を省略する。
【００４３】
（無線制御システム２０の動作）
図７は，無線制御システム２０の動作の一例を表すシーケンス図である。図７では，電気機器２３０としてＤＶＤレコーダを想定するが，ＤＶＤレコーダ以外の，例えば，ＨＤＤ内蔵テレビでも同様の動作を行っても良い。
【００４４】
（１）予約設定の入力
入力部１１１から操作情報が入力される。ここでは，ユーザが無線リモコン２１０を操作して，オン予約をする場面を想定する。この場合，ユーザは入力部１１１に，電気機器２３０を動作させる時刻（起動時刻：電気機器２３０が起動する時刻）を入力する。この際，録画予約情報（録画するチャンネル，番組，時間），停止時刻（電気機器２３０の停止時刻）を設定しても良い。録画予約情報，停止時刻等を含む，設定信号は電気機器２３０に送信され，予約記憶部１３５に記憶される。
【００４５】
（２）起動時間の通知
無線リモコン２１０は，どの程度の時間が経過したら電気機器２３０を動作させるか（起動時間：電気機器１３０が起動するまでの時間）を把握しておく必要がある。このため。起動時間を電気機器２３０側から無線リモコン２１０に送信し，計時部１１３に設定する。
ここでは，無線リモコン２１０が電気機器２３０に対してオフ信号を出し，これに対応して起動時間が電気機器２３０から無線リモコン２１０に通知される。これに換えて，オフ信号を出す以前の録画予約段階で，起動時間を通知しても良い。
【００４６】
図７の動作例では，ユーザが録画予約の設定を行った後，無線リモコン１１０の電源ボタンを押すなどすると，無線リモコン１１０から電気機器２３０の電源をオフする旨の制御パケット（ＯＦＦ信号）が送信される。
【００４７】
この信号は整流器１３２，信号判別部１３３を経由して，制御部２３４にＯＦＦ信号として入力される。制御部２３４がＯＦＦ信号の入力を認識すると，スイッチ１４２をオフする。
【００４８】
（３）計時・ＯＮ信号の送信
これらの設定が終了した後，無線リモコン２１０内の計時部１１３は電源オンまでの時間のカウントを開始する。その後，計時部１１３での計時が満了し，制御部２１２がこれを認識すると，送信部２１４を介して電気機器に対して，電源オンのための制御パケットを送信する。予約記憶部１３５が動作内容を記憶することから，無線リモコン２１０内の計時部１１３での計時が満了した場合には，無線リモコン２１０はＯＮ信号のみを送信する。このため，電気機器１３０をＯＮする信頼性が向上する。
【００４９】
（４）電気機器１３０の起動
電気機器２３０は，ＯＮ信号により起動し，その後，予約記憶部１３５に記憶される動作を実行する。
【００５０】
以上説明したように，本実施形態に係る無線制御システム２０により，ユーザが電気機器に所定時刻に電源オンなど，何らかの動作を予約している場合でも，電気機器２３０をオフにすることが可能となる。
【００５１】
また，予約された動作を開始する時刻を，無線リモコン２１０側で管理するため，無線リモコン２１０と電気機器２３０とを合わせた無線制御システム２０全体での待機時消費電力を低く抑えることが可能となる。電気機器２３０内で予約された動作を開始する時刻を管理する場合には，トランス１４３を介して電力を供給しなければならず，待機時のトランス１４３でのロスが大きい。
【００５２】
また，ユーザが電気機器２３０に所定時刻に何らかの動作開始を予約していた場合，電気機器２３０が所定時刻にどのような動作を開始すべきか，電気機器２３０内で記憶しておき，ユーザの所望の時刻に所望の動作を開始することが可能となる。
【００５３】
さらに，電気機器２３０として，ＤＶＤレコーダやＨＤＤ内蔵テレビを仮定した場合，これらの機器は正確な時刻を把握することが可能である。この時刻を無線リモコン２１０に送信することにより，無線リモコン１１０も正確な時刻を把握することが可能となり，結果的に，電気機器２３０側における録画予約開始が正確な時刻に開始される。
【００５４】
（第２の実施形態の変形例１）
図６では電気機器２３０が予約記憶部１３５を含んでおり，ＯＮした後の動作内容が記憶されている。しかし，電気機器２３０が予約記憶部１３５を含んでいない場合も考えられる。この場合，電気機器２３０から無線リモコン２１０に対して，次回オンまでの時間を通知するとともに，録画チャンネル，録画番組，録画終了時刻等，の録画予約内容を送信する。そして，無線リモコン２１０が予約内容を記憶しておき，計時部１１３での計時が満了し，ＯＮ信号を送信した後，録画チャンネル，録画番組，録画終了時刻等の予約情報を含む設定信号を電気機器２３０に送信する。その他の点では，第２の実施形態での動作と実質的な相違は無いので，詳細な説明を省略する。
【００５５】
（第２の実施形態の変形例２）
図８は，変形例に係る無線リモコン２１０ａを表すブロック図である。
無線リモコン２１０ａは，入力部１１１，制御部２１２ａ，計時部２１３ａ，送信部２１４，アンテナ１１５，電池１１６，時刻記憶部１１７を有する。
【００５６】
図９は，無線制御システム２０ａの動作の一例を表すシーケンス図である。
少なくとも録画開始時刻を電気機器２３０側から無線リモコン２１０ａに送信し，時刻記憶部１１７が記憶する。また，電気機器２３０は現在時刻を把握している場合，無線リモコン２１０ａに対して現在時刻も併せて送信し，計時部１１３ａに通知して，より正確な時刻に修正することも可能となる。
なお，録画番組，録画チャンネル等の予約内容は電気機器２３０側の予約記憶部１３５で記憶する。
【００５７】
これらの設定の後，無線リモコン２１０ａが電気機器２３０に対してオフ信号を出し，これに対応して録画予約開始時刻と現在時刻を，電気機器２３０から無線リモコン２１０ａに通知している。但し，ユーザが録画予約をした段階で，録画予約開始時刻と現在時刻等を，電気機器２３０から無線リモコン２１０ａに対して通知しても良い。その他の点では，第２の実施形態での動作と実質的な相違は無いので，詳細な説明を省略する。
【００５８】
（第３の実施の形態）
図１０は，本発明の第３の実施の形態に係る無線制御システム３０を表すブロック図である。無線制御システム３０は，無線リモコン３１０と，電気機器３３０とを有する。無線リモコン３１０から電気機器３３０に対しては，無線による制御が可能であり，ユーザは無線リモコン３１０を操作することによって，電気機器３３０の電源オン，オフ等の制御が可能である。電気機器３３０は，例えば，エアコン，録画機（ＤＶＤレコーダ，ＨＤＤ（ハードディスクドライブ）内蔵テレビ）である。
【００５９】
無線リモコン３１０は，入力部１１１，制御部３１２，送信部１１４，アンテナ１１５，電池１１６を有する。
制御部３１２は，電気機器３３０に対して送信する制御パケット（起動信号（ＯＮ信号），停止信号（ＯＦＦ信号），動作制御信号）を生成する。
【００６０】
電気機器３３０は，アンテナ１３１，整流器１３２，信号判別部１３３，制御部３３４，予約記憶部１３５，電池１３６，計時部３３７，電源プラグ１４１，スイッチ１４２，トランス１４３，主装置１４４を有する。
【００６１】
アンテナ１３１は，無線リモコン２１０からの制御パケットを受信する。アンテナ１３１は，次を実行する。
・起動信号の受信
・動作内容の受信
・起動時刻の受信
・起動する時刻を表す起動時刻または起動するまでの時間を表す起動時間の受信
【００６２】
信号判別部１３３は，整流器１３２の出力に基いて受信した制御パケットが所定の制御パケット（起動信号（ＯＮ信号），停止信号（ＯＦＦ信号），動作制御信号）と一致するか否か判別する。信号判別部１３３は，整流器１３２で整流された信号が起動信号であるか否かを判断する判断部として機能する。
【００６３】
制御部３３４は，信号判別部１３３の判別結果，予約記憶部１３５の記憶内容に基づき，スイッチ１４２，主装置１４４を制御する。制御部３３４は，次の要素として機能する。
・外部電源から主装置１４４への電力の供給を制御する供給制御部
・受信される動作内容に基づいて，主装置１４４を制御する動作制御部
・起動時刻または起動時間，および判断部の判断結果に基づいて，外部電源からトランス１４３への電力の供給を制御する供給制御部
・充電部（電池１３６）の充電の周期を制御する充電制御部
【００６４】
無線制御システム３０のその他の構成要素は，無線制御システム１０と同様なので，詳細な説明を省略する。
【００６５】
（無線制御システム３０の動作）
図１１は，無線制御システム３０の動作の一例を表すシーケンス図である。図１１では，電気機器３３０としてＤＶＤレコーダを想定するが，ＤＶＤレコーダ以外の，例えば，ＨＤＤ内蔵テレビでも同様の動作を行っても良い。
【００６６】
（１）予約設定の入力
入力部１１１から操作情報が入力される。ここでは，ユーザが無線リモコン２１０を操作して，オン予約をする場面を想定する。この場合，ユーザは入力部１１１に，電気機器３３０を動作させる時刻（起動時刻：電気機器３３０が起動する時刻）を入力する。この際，録画予約情報（録画するチャンネル，番組，時間），停止時刻（電気機器３３０の停止時刻）を設定しても良い。録画予約情報，停止時刻等を含む，設定信号は電気機器３３０に送信され，予約記憶部３３５に記憶される。
図１０ではこれらの設定の後，ユーザが電気機器３３０に対してオフ信号を出しているが，電気機器３３０をオフしなくても，ユーザは以上のような設定が可能である。
【００６７】
以上のようなユーザの操作により，無線リモコン３１０からは録画予約信号が送信され，この信号を整流器１３２が受信し，信号判別部１３３を介して，予約記憶部３３５に予約内容，すなわち，例えば，録画開始時刻，録画番組，録画終了時刻等が記憶される。もしユーザが無線リモコン３１０で電源ボタンを押すなどして，無線リモコン３１０からオフ信号が送信された場合には，整流器１３２，信号判別部１３３を介して，制御部３３４に入力される。制御部はオフ信号を受信したことを認識すると，スイッチ１４２をオフし，主装置１４４の電源をオフする。
【００６８】
（３）計時・起動
電気機器３３０内の計時部３３７は時間を計測する。その後，制御部３３４が予約記憶部３３５に記憶された録画開始時刻と，計時部３３７が出力する時刻とが一致した場合には，スイッチ１４２をオンする。
また，制御部３３４は主装置１４４に対して，録画番組等の予約情報を伝える。このとき，電池１３６が二次電池の場合，充電を行っても良い。
その後，制御部３３４が予約記憶部３３５に記憶された録画終了時刻と，計時部３３７が出力する時刻とが一致した場合には，制御部３３４はスイッチ１４２をオフし，さらに主装置１４４に対してオフ信号を送信しても良い。
【００６９】
なお，計時部３３７に録画予約以外の機能を載せても良く，たとえば，電池１３６が二次電池の場合に，計時部３３７に，電池１３６に充電する時間間隔を設定しておき，計時部３３７での計時が満了した場合に，制御部はスイッチ１４２を短時間オンして，電池１３６に充電を行っても良い。このような動作の際に，予約記憶部３３５に充電時間間隔を記憶しておいても良い。
【００７０】
以上説明したように，本実施形態に係る無線制御システム３０により，ユーザが電気機器３３０に所定時刻に電源オンなど，何らかの動作を予約していた場合でも，電気機器３３０をオフにすることが可能となる。これは，予約された動作を開始する時刻，動作内容等を，電気機器３３０内の電池１３６駆動の部分で記憶，管理するためである。これにより，電気機器３３０内で予約された動作を開始する時刻を管理する場合であっても，トランス１４３を介して電力を供給しなくてもよくなり，待機時のトランス１４３による電力損失は問題なくなり，ＤＶＤレコーダ等において，録画予約時であっても，無線制御システム３０全体としては低消費電力で待機することが可能となる。
【００７１】
また，ユーザが電気機器３３０に所定時刻に何らかの動作開始を予約していた場合，電気機器３３０が所定時刻にどのような動作を開始すべきか，電気機器３３０内で記憶しておく。このため，ユーザの所望の時刻に所望の動作を開始することができ，より高信頼にすることが可能となる。さらに，二次電池の残量がなくなる前に充電することが可能になり，無線制御システム３０の高信頼化が可能となる。
【００７２】
（第４の実施の形態）
図１２は，本発明の第４の実施の形態に係る無線制御システム４０を表すブロック図である。無線制御システム４０は，無線リモコン４１０と，電気機器４３０とを有する。ユーザは無線リモコン４１０を操作することによって，電気機器４３０の電源オン，オフ等の制御が可能である。電気機器４３０は，例えば，エアコン，録画機（ＤＶＤレコーダ，ＨＤＤ（ハードディスクドライブ）内蔵テレビ）である。
【００７３】
無線リモコン４１０は，入力部４１１，制御部３１２，送信部１１４，アンテナ１１５，電池１１６を有する。
入力部４１１は，電源ボタン，主電源ボタンを有する。電源ボタンは，電気機器４３０の通常の電源オン，オフする。主電源ボタンは，電気機器４３０の主電源をオン，オフする。
【００７４】
電気機器４３０は，アンテナ１３１，整流器１３２，信号判別部１３３，制御部４３４，予約記憶部１３５，電池１３６，受信・信号識別部４３７，アンテナ４３８，スイッチ４３９，電源プラグ１４１，スイッチ１４２，トランス１４３，主装置１４４を有する。
【００７５】
アンテナ１３１は，無線リモコン２１０からの制御パケットを受信する。アンテナ１３１は，次を実行する。
・起動信号の受信
・動作内容の受信
・起動時刻の受信
【００７６】
信号判別部１３３は，整流器１３２の出力に基いて受信した制御パケットが所定の制御パケット（起動信号（ＯＮ信号），停止信号（ＯＦＦ信号），動作制御信号）と一致するか否か判別する。信号判別部１３３は，整流器１３２で整流された信号が起動信号であるか否かを判断する判断部として機能する。
【００７７】
制御部４３４は，信号判別部１３３の判別結果，予約記憶部１３５の記憶内容に基づき，スイッチ１４２，主装置１４４を制御する。制御部４３４は，次の要素として機能する。
・外部電源から主装置１４４への電力の供給を制御する供給制御部
・受信される動作内容に基づいて，主装置１４４を制御する動作制御部
・起動時刻または起動時間，および判断部の判断結果に基づいて，外部電源からトランス１４３への電力の供給を制御する供給制御部
・第２の動作制御部から主装置１４４への制御信号の供給を制御する第２の供給制御部
【００７８】
受信・信号識別部４３７は，通常のリモコン信号を受信してどのような信号かを識別し，主装置１４４を制御する。受信・信号識別部４３７は，受信する動作内容に基づいて，前記主装置を制御する第２の動作制御部として機能する。
アンテナ４３８は，無線リモコン４１０からの信号を受信する。アンテナ４３８は，動作内容を受信する第５の受信部として機能する。
スイッチ４３９は，受信・信号識別部４３７からの信号を主装置１４４に伝達するか否かを切り替える。
【００７９】
無線制御システム４０のその他の構成要素は，無線制御システム１０と同様なので，詳細な説明を省略する。
【００８０】
（無線制御システム４０の動作）
図１３は，無線制御システム４０の動作の一例を表すシーケンス図である。図１３では，電気機器４３０としてＤＶＤレコーダを想定するが，ＤＶＤレコーダ以外の，例えば，ＨＤＤ内蔵テレビでも同様の動作を行っても良い。
【００８１】
（１）予約設定の入力
入力部４１１から操作情報が入力される。ここでは，ユーザが無線リモコン４１０を操作して，録画予約をする場面を想定する。この場合，ユーザは無線リモコン４１０の入力部４１１を介して，ＤＶＤレコーダに録画番組の指定を行うが，この際，録画開始時刻，録画チャンネル，録画番組，録画終了時刻等を設定しても良い。図１３ではこれらの設定の後，ユーザが無線リモコン４１０を操作して，電気機器４３０に対して主電源オフ信号を出している。
【００８２】
以上のようなユーザの操作により，無線リモコン４１０からは録画予約信号が送信され，この信号を受信・信号識別部４３７が受信し，スイッチ４３９を介して，主装置１４４に入力される。主装置１４４は，録画予約信号の入力を認識すると，制御部４３４にその旨の信号を送信し，これを受けた制御部４３４は予約記憶部４３５に予約内容を記憶させる。この予約内容には，例えば，録画開始時刻，録画番組，録画終了時刻等が含まれる。
【００８３】
（２）電源ＯＦＦ
もしユーザが無線リモコン４１０で電源ボタンを押すなどして，無線リモコン４１０から通常の電源オフ信号が送信された場合には，受信・信号識別部４３７が受信し，スイッチ４３９を介して主装置１４４に入力される。これにより，不要な部分には通電しないようにして，低消費電力化を図る。
【００８４】
（３）主電源ＯＦＦ
一方，ユーザが無線リモコン４１０で主電源ボタンを押すなどして，無線リモコン４１０から主電源オフ信号が送信された場合には，整流器１３２が受信し，信号判別部１３３を介して，制御部４３４に入力される。制御部４３４は主電源オフ信号を受信したことを認識すると，録画予約が入っているか否か，予約記憶部３３５に問い合わせる。
【００８５】
もし録画予約がない場合には，少なくともスイッチ１４２をオフする。一方，予約記憶部３３５に録画予約がある場合には，スイッチ４３９のみをオフし，スイッチ１４２をオンしたままにする。これにより，ユーザが録画予約していた場合でも，たとえば制御部４３４が計時していて，予約記憶部１３５に記憶された録画予約の開始時刻になった場合に主装置１４４に対して，録画予約を指示することが可能となる。
【００８６】
以上説明したように，本実施形態に係る無線制御システム４０により，ユーザが電気機器４３０に所定時刻に電源オンなど，何らかの動作を予約していた場合には，電気機器４３０の主電源をオフにせずに，予約された動作を予約された時刻等に合わせて開始することが可能となる。
【００８７】
ユーザが電気機器に対して何の動作予約もしていない場合には，電気機器４３０の主電源をオフすることにより，電気機器４３０の消費電力を低く抑えることが可能となる。これは，ユーザが主電源をオフしようとした場合でも，電気機器４３０側で，予約が入っているか否か判断し，予約が入っていない場合にのみ，主電源をオフするためである。これにより，主電源をオフした場合には，トランス１４３を介して電力を供給しなくてもよくなり，待機時のトランス１４３による電力損失は問題なくなり，ＤＶＤレコーダ等において，録画予約がない場合にはシステム全体として低消費電力で待機することが可能となる。
【００８８】
また，ユーザはたとえばＤＶＤレコーダに録画予約をしているか，していないか気にすることなく，無線リモコン４１０により主電源をオフすることが可能となる。さらに，ユーザが電気機器４３０に所定時刻に何らかの動作開始を予約していた場合，電気機器４３０が所定時刻にどのような動作を開始すべきか，電気機器４３０内で記憶しておくため，ユーザの所望の時刻に所望の動作を開始することができ，より高信頼に動作することが可能となる。
【００８９】
（その他の実施形態）
本発明の実施形態は上記の実施形態に限られず拡張，変更可能であり，拡張，変更した実施形態も本発明の技術的範囲に含まれる。
【図面の簡単な説明】
【００９０】
【図１】本発明の第１の実施の形態に係る無線制御システム１０を表すブロック図である。
【図２】整流器１３２の一構成例を示す図である。
【図３】無線制御システム１０の一動作例を表すシーケンス図である。
【図４】無線制御システム１０の他の動作例を表すシーケンス図である。
【図５】変形例に係る無線リモコン１１０ａを表すブロック図である。
【図６】本発明の第２の実施の形態に係る無線制御システム２０を表すブロック図である。
【図７】無線制御システム２０の動作の一例を表すシーケンス図である。
【図８】変形例に係る無線リモコン２１０ａを表すブロック図である。
【図９】電気機器２３０が予約記憶部１３５を含んでいない場合での無線制御システム２０の動作の一例を表すシーケンス図である。
【図１０】本発明の第３の実施の形態に係る無線制御システム３０を表すブロック図である。
【図１１】無線制御システム３０の動作の一例を表すシーケンス図である。
【図１２】本発明の第４の実施の形態に係る無線制御システム４０を表すブロック図である。
【図１３】無線制御システム４０の動作の一例を表すシーケンス図である。
【符号の説明】
【００９１】
１０…無線制御システム，１１０…無線リモコン，１１１…入力部，１１２…制御部，１１３…計時部，１１４…送信部，１１５…アンテナ，１１６…電池，１１７…時刻記憶部，１３０…電気機器，１３１…アンテナ，１３２…整流器，１３３…信号判別部，１３４…制御部，１３５…予約記憶部，１３６…電池，１４１…電源プラグ，１４２…スイッチ，１４３…トランス，１４４…主装置
【図１】
2010045509.tif 000003
【図２】
2010045509.tif 000004
【図３】
2010045509.tif 000005
【図４】
2010045509.tif 000006
【図５】
2010045509.tif 000007
【図６】
2010045509.tif 000008
【図７】
2010045509.tif 000009
【図８】
2010045509.tif 000010
【図９】
2010045509.tif 000011
【図１０】
2010045509.tif 000012
【図１１】
2010045509.tif 000013
【図１２】
2010045509.tif 000014
【図１３】
2010045509.tif 000015